(57)【特許請求の範囲】
【請求項１】
他システムと共用する周波数帯域の一部のキャリア周波数を用いてＯＦＤＭ信号を送信するＯＦＤＭ送信装置であって、
前記周波数帯域の受信レベルに基づいて前記周波数帯域における前記他システムが使用していない空き周波数帯域を選択する周波数選択部と、
前記空き周波数帯域のキャリア周波数のうち前記他システムの使用周波数に隣接するキャリア周波数に送信データを振り分ける場合に、優先度の低い前記他システムに隣接するキャリア周波数から順番に前記送信データを振り分けるキャリア配置部と、
前記振り分けられた送信データに対して直交周波数分割多重処理を行うことにより、前記ＯＦＤＭ信号を生成する直交周波数分割多重部と、
前記ＯＦＤＭ信号を送信する送信部と、
を具備するＯＦＤＭ送信装置。
【請求項２】
前記他システムのうち、公共性の高い通信を用いるシステムを前記優先度の高いシステムとし、公共性の低い通信を用いるシステムを前記優先度の低いシステムとする、
請求項１記載のＯＦＤＭ送信装置。
【請求項３】
前記優先度の高いシステムはレーダーである、
請求項２に記載のＯＦＤＭ送信装置。
【請求項４】
他システムと共用する周波数帯域の一部のキャリア周波数を用いてＯＦＤＭ信号を送信するＯＦＤＭ送信装置であって、
前記周波数帯域の受信レベルに基づいて前記周波数帯域における前記他システムが使用していない空き周波数帯域を選択する周波数選択部と、
前記空き周波数帯域のキャリア周波数のうち前記他システムの使用周波数に隣接するキャリア周波数に送信データを振り分ける場合に、複数の前記空き周波数帯域の各々の前記送信データのデータ量の差分が小さくなるように前記送信データを振り分けるキャリア配置部と、
前記振り分けられた送信データに対して直交周波数分割多重処理を行うことにより、前記ＯＦＤＭ信号を生成する直交周波数分割多重部と、
前記ＯＦＤＭ信号を送信する送信部と、
を具備するＯＦＤＭ送信装置。
【請求項５】
他システムと共用する周波数帯域の一部のキャリア周波数を用いてＯＦＤＭ信号を送信するＯＦＤＭ送信装置であって、
前記周波数帯域の受信レベルに基づいて前記周波数帯域における前記他システムが使用していない空き周波数帯域を選択する周波数選択部と、
前記空き周波数帯域のキャリア周波数のうち前記他システムの使用周波数に隣接するキャリア周波数に送信データを振り分ける場合に、前記他システムの使用周波数のうち帯域の狭い使用周波数に隣接するキャリア周波数から順に前記送信データを振り分けるキャリア配置部と、
前記振り分けられた送信データに対して直交周波数分割多重処理を行うことにより、前記ＯＦＤＭ信号を生成する直交周波数分割多重部と、
前記ＯＦＤＭ信号を送信する送信部と、
を具備するＯＦＤＭ送信装置。
【請求項６】
他システムと共用する周波数帯域の一部のキャリア周波数を用いてＯＦＤＭ信号を送信するＯＦＤＭ送信装置におけるＯＦＤＭ送信方法であって、
前記周波数帯域の受信レベルに基づいて前記周波数帯域における前記他システムが使用していない空き周波数帯域を選択するステップと、
前記空き周波数帯域のキャリア周波数のうち前記他システムの使用周波数に隣接するキャリア周波数に送信データを振り分ける場合に、優先度の低い前記他システムに隣接するキャリア周波数から順番に前記送信データを振り分けるステップと、
前記振り分けられた送信データに対して直交周波数分割多重処理を行うことにより、前記ＯＦＤＭ信号を生成するステップと、
前記ＯＦＤＭ信号を送信するステップと、
を具備するＯＦＤＭ送信方法。
【発明の詳細な説明】
【技術分野】
【０００１】
本発明は、他システムと共用する周波数帯域の一部のキャリア周波数を用いてＯＦＤＭ信号を送信するＯＦＤＭ送信装置及びＯＦＤＭ送信方法に関する。
【背景技術】
【０００２】
従来、テレビの生中継、緊急報道等の映像伝送を行う無線通信システムに用いる装置として、ＦＰＵ（Field Pick-up Unit）が知られている。ＦＰＵは、放送分野の素材伝送のために用いられ、トランシーバ等の他システムと共用する周波数帯域の一部を用いて無線通信を行う。このため、ＦＰＵでは、使用中の周波数帯域における干渉の有無を常時監視し、他のシステムとの干渉を防ぐ必要がある。ＦＰＵの基地局は、受信レベル（干渉量）を測定し、受信レベルが所定の閾値を越えた場合に、他のシステムが当該周波数帯域の使用を開始した（干渉が発生した）と判断し、当該周波数帯域の使用を中止する。
【０００３】
このような無線システムとしては、従来、他システムと共用する周波数帯域の一部のキャリア周波数に送信データを振り分けてＯＦＤＭ信号を生成するＯＦＤＭ送信装置が知られている（例えば、特許文献１）。
【０００４】
従来のＯＦＤＭ送信装置では、空き周波数帯のキャリア周波数の端から順番に送信データを振り分けてＯＦＤＭ信号を生成する。
【先行技術文献】
【特許文献】
【０００５】
【特許文献１】特開２０００−１５１５４７号公報
【発明の概要】
【発明が解決しようとする課題】
【０００６】
しかしながら、従来においては、他システムの使用周波数に隣接するキャリア周波数に振り分けた送信データから、他システムの使用周波数帯に漏洩する隣接チャネル干渉波を抑制するために、送信電力を低くする必要があるため、通信距離が短くなるという課題を有する。
【０００７】
本発明の目的は、送信電力を低くすることなく他システムの使用周波数帯に漏洩する隣接チャネル干渉波を抑制することにより、通信距離を長くすることができるＯＦＤＭ送信装置及びＯＦＤＭ送信方法を提供することである。
【課題を解決するための手段】
【０００８】
本発明に係るＯＦＤＭ送信装置は、他システムと共用する周波数帯域の一部のキャリア周波数を用いてＯＦＤＭ信号を送信するＯＦＤＭ送信装置であって、前記周波数帯域の受信レベルに基づいて前記周波数帯域における前記他システムが使用していない空き周波数帯域を選択する周波数選択部と、前記空き周波数帯域のキャリア周波数のうち前記他システムの使用周波数に隣接するキャリア周波数に送信データを振り分ける場合に、優先度の低い前記他システムに隣接するキャリア周波数から順番に前記送信データを振り分けるキャリア配置部と、前記振り分けられた送信データに対して直交周波数分割多重処理を行うことにより、前記ＯＦＤＭ信号を生成する直交周波数分割多重部と、前記ＯＦＤＭ信号を送信する送信部と、を具備する。
【０００９】
本発明に係るＯＦＤＭ送信方法は、他システムと共用する周波数帯域の一部のキャリア周波数を用いてＯＦＤＭ信号を送信するＯＦＤＭ送信装置におけるＯＦＤＭ送信方法であって、前記周波数帯域の受信レベルに基づいて前記周波数帯域における前記他システムが使用していない空き周波数帯域を選択するステップと、前記空き周波数帯域のキャリア周波数のうち前記他システムの使用周波数に隣接するキャリア周波数に送信データを振り分ける場合に、優先度の低い前記他システムに隣接するキャリア周波数から順番に前記送信データを振り分けるステップと、前記振り分けられた送信データに対して直交周波数分割多重処理を行うことにより、前記ＯＦＤＭ信号を生成するステップと、前記ＯＦＤＭ信号を送信するステップと、を具備する。
【発明の効果】
【００１０】
本発明によれば、送信電力を低くすることなく他システムが使用している周波数帯に漏洩する隣接チャネル干渉波を抑制することにより、通信距離を長くすることができる。
【図面の簡単な説明】
【００１１】
【図１】本発明の実施の形態１に係るＯＦＤＭ送信装置の構成を示すブロック図
【図２】本発明の実施の形態１に係るＯＦＤＭ送信装置の動作を示すフロー図
【図３】本発明の実施の形態１に係るＯＦＤＭ信号を示す図
【図４】本発明の実施の形態２に係るＯＦＤＭ送信装置の動作を示すフロー図
【図５】本発明の実施の形態２に係るＯＦＤＭ信号を示す図
【図６】本発明の実施の形態３に係るＯＦＤＭ送信装置の動作を示すフロー図
【図７】本発明の実施の形態３に係るＯＦＤＭ信号を示す図
【図８】本発明の実施の形態４に係るＯＦＤＭ送信装置の動作を示すフロー図
【図９】本発明の実施の形態４に係るＯＦＤＭ信号を示す図
【図１０】本発明の実施の形態５に係るＯＦＤＭ送信装置の動作を示すフロー図
【図１１】本発明の実施の形態５に係るＯＦＤＭ信号を示す図
【発明を実施するための形態】
【００１２】
以下、図面を適宜参照して、本発明の実施の形態につき、詳細に説明する。
【００１３】
（実施の形態１）
＜基地局の構成＞
本発明の実施の形態１に係るＯＦＤＭ送信装置１００の構成につき、図１を参照しながら、以下に詳細に説明する。
【００１４】
ＯＦＤＭ送信装置１００は、アンテナ１０１と、受信部１０２と、レベル測定部１０３と、周波数選択部１０４と、キャリア配置部１０５と、変調部１０６と、フーリエ逆変換部１０７と、送信部１０８と、アンテナ１０９と、を有している。ＯＦＤＭ送信装置１００は、他システムと共用する周波数帯域の一部のキャリア周波数を用いてＯＦＤＭ信号を生成して送信するものであり、典型的にはＦＰＵに用いられる。
【００１５】
受信部１０２は、アンテナ１０１を介して信号を受信し、受信信号に対して増幅処理等の所定の無線受信処理を行い、無線受信処理した受信信号をレベル測定部１０３に出力する。
【００１６】
レベル測定部１０３は、受信部１０２から入力された受信信号の受信レベルを測定し、測定値を周波数選択部１０４に出力する。
【００１７】
周波数選択部１０４は、レベル測定部１０３から入力された受信レベルの測定値が閾値以下の空き周波数領域を検出する。周波数選択部１０４は、検出した空き周波数領域を示す周波数情報をキャリア配置部１０５に出力する。
【００１８】
キャリア配置部１０５は、周波数選択部１０４から入力された周波数情報が示す空き周波数領域の各キャリア周波数のうち、他システムが使用している周波数から最も離れたキャリア周波数から順番に、入力された送信データが振り分けられるように配置して変調部１０６に出力する。
【００１９】
変調部１０６は、キャリア配置部１０５から入力された送信データを変調して変調信号を生成してフーリエ逆変換部１０７に出力する。
【００２０】
フーリエ逆変換部１０７は、変調部１０６から入力された変調信号に対して直交周波数分割多重処理であるフーリエ逆変換処理を行うことによりＯＦＤＭ信号を生成して送信部１０８に出力する。
【００２１】
送信部１０８は、フーリエ逆変換部１０７から出力されたＯＦＤＭ信号をＲＦ処理してアンテナ１０９より送信する。
【００２２】
＜ＯＦＤＭ送信装置の動作＞
本発明の実施の形態１に係るＯＦＤＭ送信装置１００の動作につき、図２を参照しながら、以下に詳細に説明する。
【００２３】
まず、キャリア配置部１０５は、入力された送信データのうち、割り当てていない送信データがあるか否かを判定する（Ｓ２０１）。
【００２４】
キャリア配置部１０５は、割り当てていない送信データが無い場合（Ｓ２０１：ＮＯ）、処理を終了する。
【００２５】
一方、キャリア配置部１０５は、割り当てていない送信データが有る場合（Ｓ２０１：ＹＥＳ）、送信データを割り当てていないキャリア周波数のうち、他システムの使用周波数に隣接するキャリア周波数（以下、「隣接キャリア周波数」と記載する）を除いたキャリア周波数（以下、「非隣接キャリア周波数」と記載する）であって、送信データを割り当てていない非隣接キャリア周波数（以下、「空き非隣接キャリア周波数」と記載する）のうち、他システムの使用周波数から最も離れている空き非隣接キャリア周波数があるか否かを判定する（Ｓ２０２）。
【００２６】
キャリア配置部１０５は、他システムの使用周波数から最も離れている空き非隣接キャリア周波数がある場合（Ｓ２０２：ＹＥＳ）、その空き非隣接キャリア周波数を選択する（Ｓ２０３）。その後、フローは、Ｓ２０１の処理に戻る。
【００２７】
一方、キャリア配置部１０５は、他システムの使用周波数から最も離れている空き非隣接キャリア周波数が無い場合（Ｓ２０２：ＮＯ）、隣接キャリア周波数を選択する（Ｓ２０４）。その後、フローは、Ｓ２０１の処理に戻る。
【００２８】
かかるＯＦＤＭ信号では、図３に示すように、空き周波数領域Ｆ１０の各キャリア周波数ｆ＃０からｆ＃５のうち、他システムが使用している周波数Ｆ１２及び周波数Ｆ１３から最も離れた空き非隣接キャリア周波数ｆ＃２、ｆ＃３に、送信データ＃１、＃２が振り分けられると共に、他システムが使用している周波数Ｆ１２及び周波数Ｆ１３からキャリア周波数ｆ＃２、ｆ＃３の次に離れた空き非隣接キャリア周波数ｆ＃１、ｆ＃４に、送信データ＃３、＃４が振り分けられる。
【００２９】
このように、本実施の形態によれば、送信データに対して直交周波数分割多重処理を行うことにより、空き周波数帯域Ｆ１０のキャリア周波数ｆ＃０からｆ＃５のうち他システムの使用周波数Ｆ１２及び使用周波数Ｆ１３から最も離れた空き非隣接キャリア周波数ｆ＃２、ｆ＃３から順番に送信データ＃１から＃４を振り分けたＯＦＤＭ信号を生成して送信することにより、送信電力を低くすることなく他システムが使用している周波数帯に漏洩する隣接チャネル干渉波を抑制することにより、通信距離を長くすることができる。
【００３０】
（実施の形態２）
本発明の実施の形態２において、ＯＦＤＭ送信装置の構成は図１と同一構成であるので、その説明を省略する。
【００３１】
＜ＯＦＤＭ送信装置の動作＞
本発明の実施の形態２に係るＯＦＤＭ送信装置１００の動作につき、図４を参照しながら、以下に詳細に説明する。
【００３２】
まず、キャリア配置部１０５は、入力された送信データのうち、割り当てていない送信データがあるか否かを判定する（Ｓ３０１）。
【００３３】
キャリア配置部１０５は、割り当てていない送信データが無い場合（Ｓ３０１：ＮＯ）、処理を終了する。
【００３４】
一方、キャリア配置部１０５は、割り当てていない送信データが有る場合（Ｓ３０１：ＹＥＳ）、空き周波数領域において、空き非隣接キャリア周波数が有り、且つ、その空き周波数領域において送信データを割り当てていないキャリア周波数（以下、「空きキャリア周波数」と記載する）の数が、その空き周波数領域の全キャリア周波数の半数より多いか否かを判定する（Ｓ３０２）。
【００３５】
キャリア配置部１０５は、空き非隣接キャリア周波数が無いか、又は、空きキャリア周波数の数が全キャリア周波数の半数以下の場合（Ｓ３０２：ＮＯ）、他の空き周波数領域があるか否かを判定する（Ｓ３０３）。
【００３６】
そして、キャリア配置部１０５は、空き非隣接キャリア周波数が有り、且つ、空きキャリア周波数の数が全キャリア周波数の半数より多い場合（Ｓ３０２：ＹＥＳ）、あるいは、他の空き周波数領域がある場合（Ｓ３０３：ＹＥＳ）、他の空き周波数領域の空き非隣接キャリア周波数のうち、他システムの使用周波数から最も離れた空き非隣接キャリア周波数を選択する（Ｓ３０４）。その後、フローは、Ｓ３０１の処理に戻る。
【００３７】
一方、キャリア配置部１０５は、他の空き周波数領域が無い場合（Ｓ３０３：ＮＯ）、隣接キャリア周波数を選択する（Ｓ３０５）。その後、フローは、Ｓ３０１の処理に戻る。
【００３８】
かかるＯＦＤＭ信号では、図５に示すように、空き周波数領域Ｆ２０の各キャリア周波数ｆ＃０からｆ＃５のうち、他システムが使用している周波数Ｆ２２及び周波数Ｆ２３から最も離れた空き非隣接キャリア周波数ｆ＃２、ｆ＃３に、送信データ＃１、＃２が振り分けられると共に、他システムが使用している周波数Ｆ２２及び周波数Ｆ２３からキャリア周波数ｆ＃２、ｆ＃３の次に離れた空き非隣接キャリア周波数ｆ＃４に、送信データ＃３が振り分けられる。
【００３９】
また、ＯＦＤＭ信号では、非隣接キャリア周波数ｆ＃２、ｆ＃３、ｆ＃４に送信データ＃１、＃２、＃３が振り分けられることにより、空き周波数領域Ｆ２０において、空きキャリア周波数の数が全キャリア周波数の半数以下しかない。従って、ＯＦＤＭ信号では、他の空き周波数領域Ｆ２１の各キャリア周波数ｆ＃０からｆ＃３のうち、他システムが使用している周波数Ｆ２３及び周波数Ｆ２４から最も離れた空き非隣接キャリア周波数ｆ＃２に、送信データ＃４が振り分けられる。
【００４０】
ここで、空き非隣接キャリア周波数ｆ＃１に、送信データ＃４を振り分けることも可能だが、空き周波数領域Ｆ２０の隣接キャリア周波数ｆ＃５の隣のｆ＃４に、すでに送信データ＃３を振り分けているため、他システムとの干渉を更に低減するために、空き周波数領域Ｆ２１においては、他システムＦ２３から遠い方の非隣接キャリア周波数ｆ＃２に、送信データ＃４を振り分ける方が望ましい。
【００４１】
このように、本実施の形態によれば、上記実施の形態１の効果に加えて、複数の空き周波数領域に分散して送信データを振り分けることにより、何れかの空き周波数領域に干渉を生じた場合であっても、再送されるデータ量を抑制することができる。
【００４２】
（実施の形態３）
本発明の実施の形態３において、ＯＦＤＭ送信装置の構成は図１と同一構成であるので、その説明を省略する。
【００４３】
＜ＯＦＤＭ送信装置の動作＞
本発明の実施の形態３に係るＯＦＤＭ送信装置１００の動作につき、図６を参照しながら、以下に詳細に説明する。
【００４４】
まず、キャリア配置部１０５は、入力された送信データのうち、割り当てていない送信データがあるか否かを判定する（Ｓ４０１）。
【００４５】
キャリア配置部１０５は、割り当てていない送信データが無い場合（Ｓ４０１：ＮＯ）、処理を終了する。
【００４６】
一方、キャリア配置部１０５は、割り当てていない送信データが有る場合（Ｓ４０１：ＹＥＳ）、空き周波数領域において、空き非隣接キャリア周波数が有り、且つ、空きキャリア周波数の数が、その空き周波数領域の全キャリア周波数の半数より多いか否かを判定する（Ｓ４０２）。
【００４７】
キャリア配置部１０５は、空き非隣接キャリア周波数が無いか、又は、空きキャリア周波数の数が全キャリア周波数の半数以下の場合（Ｓ４０２：ＮＯ）、他の空き周波数領域があるか否かを判定する（Ｓ４０３）。
【００４８】
キャリア配置部１０５は、他の空き周波数領域が無い場合（Ｓ４０３：ＮＯ）、空き非隣接キャリア周波数が有るか否かを判定する（Ｓ４０４）。
【００４９】
キャリア配置部１０５は、空き非隣接キャリア周波数が有り、且つ、空きキャリア周波数の数が全キャリア周波数の半数より多い場合（Ｓ４０２：ＹＥＳ）、他の空き周波数領域がある場合（Ｓ４０３：ＹＥＳ）、あるいは、空き非隣接キャリア周波数が有る場合（Ｓ４０４：ＹＥＳ）、空き非隣接キャリア周波数のうちで他システムの使用周波数から最も離れた空き非隣接キャリア周波数を選択する（Ｓ４０５）。その後、フローは、Ｓ４０１の処理に戻る。
【００５０】
キャリア配置部１０５は、空き非隣接キャリア周波数が無い場合（Ｓ４０４：ＮＯ）、複数の空き周波数領域を選択済みであるか否かを判定する（Ｓ４０６）。
【００５１】
キャリア配置部１０５は、複数の空き周波数領域を選択済みである場合（Ｓ４０６：ＹＥＳ）、優先度の低い他システムを選択する（Ｓ４０７）。
【００５２】
次に、キャリア配置部１０５は、優先度の低い他システムの使用周波数に隣接する隣接キャリア周波数を選択する（Ｓ４０８）。その後、フローは、Ｓ４０１の処理に戻る。
【００５３】
一方、キャリア配置部１０５は、複数の空き周波数領域を選択していない場合（Ｓ４０６：ＮＯ）、何れかの隣接キャリア周波数を選択する（Ｓ４０８）。その後、フローは、Ｓ４０１の処理に戻る。
【００５４】
かかるＯＦＤＭ信号では、図７に示すように、空き周波数領域Ｆ３０の各キャリア周波数ｆ＃０からｆ＃５のうち、他システムが使用している周波数Ｆ３２及び周波数Ｆ３３から最も離れた空き非隣接キャリア周波数ｆ＃２、ｆ＃３に、送信データ＃１、＃２が振り分けられると共に、他システムが使用している周波数Ｆ３２及び周波数Ｆ３３からキャリア周波数ｆ＃２、ｆ＃３の次に離れた空き非隣接キャリア周波数ｆ＃４に、送信データ＃３が振り分けられる。
【００５５】
また、ＯＦＤＭ信号では、非隣接キャリア周波数ｆ＃２、ｆ＃３、ｆ＃４に送信データ＃１、＃２、＃３が振り分けられることにより、空き周波数領域Ｆ３０において、空きキャリア周波数の数が全キャリア周波数の半数以下しかない。従って、ＯＦＤＭ信号では、他の空き周波数領域Ｆ３１の各キャリア周波数ｆ＃０からｆ＃３のうち、他システムが使用している周波数Ｆ３３及び周波数Ｆ３４から最も離れた空き非隣接キャリア周波数ｆ＃１、ｆ＃２に、送信データ＃４、＃５が振り分けられる。
【００５６】
次に、ＯＦＤＭ信号では、空き周波数領域Ｆ３０の空き非隣接キャリア周波数ｆ＃１に送信データ＃６が振り分けられる。
【００５７】
更に、ＯＦＤＭ信号では、空き非隣接キャリア周波数が無くなった場合、隣接キャリア周波数のうち、優先度の低い他システムの使用周波数Ｆ３２に隣接する、空き周波数領域Ｆ３０の隣接キャリア周波数ｆ＃０に送信データ＃７が振り分けられる。
【００５８】
このように、本実施の形態によれば、上記実施の形態１及び実施の形態２の効果に加えて、優先度の低い他システムの使用周波数に隣接するキャリア周波数に送信データを振り分けることにより、優先度が高い他システムに対する与干渉を防ぐことができる。
【００５９】
なお、レーダーなど公共性の高い通信を優先度の高いシステムとし、アマチュア無線（トランシーバ）など私的な通信を優先度の低いシステムとするとよい。
【００６０】
（実施の形態４）
本発明の実施の形態４において、ＯＦＤＭ送信装置の構成は図１と同一構成であるので、その説明を省略する。
【００６１】
＜ＯＦＤＭ送信装置の動作＞
本発明の実施の形態４に係るＯＦＤＭ送信装置１００の動作につき、図８を参照しながら、以下に詳細に説明する。
【００６２】
まず、キャリア配置部１０５は、入力された送信データのうち、割り当てていない送信データがあるか否かを判定する（Ｓ５０１）。
【００６３】
キャリア配置部１０５は、割り当てていない送信データが無い場合（Ｓ５０１：ＮＯ）、処理を終了する。
【００６４】
一方、キャリア配置部１０５は、割り当てていない送信データが有る場合（Ｓ５０１：ＹＥＳ）、空き周波数領域において、空き非隣接キャリア周波数が有り、且つ、空きキャリア周波数の数が、その空き周波数領域の全キャリア周波数の半数より多いか否かを判定する（Ｓ５０２）。
【００６５】
キャリア配置部１０５は、空き非隣接キャリア周波数が無いか、又は、空きキャリア周波数の数が全キャリア周波数の半数以下の場合（Ｓ５０２：ＮＯ）、他の空き周波数領域があるか否かを判定する（Ｓ５０３）。
【００６６】
キャリア配置部１０５は、他の空き周波数領域が無い場合（Ｓ５０３：ＮＯ）、空き非隣接キャリア周波数が有るか否かを判定する（Ｓ５０４）。
【００６７】
キャリア配置部１０５は、空き非隣接キャリア周波数が無い場合（Ｓ５０４：ＮＯ）、複数の空き周波数領域を選択済みであるか否かを判定する（Ｓ５０６）。
【００６８】
キャリア配置部１０５は、空き非隣接キャリア周波数が有り、且つ、空きキャリア周波数の数が全キャリア周波数の半数より多い場合（Ｓ５０２：ＹＥＳ）、他の空き周波数領域がある場合（Ｓ５０３：ＹＥＳ）、あるいは、空き非隣接キャリア周波数が有る場合（Ｓ５０４：ＹＥＳ）、空き非隣接キャリア周波数のうちで他システムの使用周波数から最も離れた空き非隣接キャリア周波数を選択する（Ｓ５０５）。その後、フローは、Ｓ５０１の処理に戻る。
【００６９】
キャリア配置部１０５は、複数の空き周波数領域を選択済みである場合（Ｓ５０６：ＹＥＳ）、各空き周波数領域の各キャリア周波数に振り分けた送信データのデータ量を空き周波数領域毎に求める（Ｓ５０７）。
【００７０】
次に、キャリア配置部１０５は、空き周波数領域間の送信データのデータ量の差分が小さくなるような隣接キャリア周波数を選択する（Ｓ５０８）。その後、フローは、Ｓ５０１の処理に戻る。
【００７１】
一方、キャリア配置部１０５は、複数の空き周波数領域を選択していない場合（Ｓ５０６：ＮＯ）、何れかの隣接キャリア周波数を選択する（Ｓ５０９）。その後、フローは、Ｓ５０１の処理に戻る。
【００７２】
かかるＯＦＤＭ信号では、図９に示すように、空き周波数領域Ｆ４０の各キャリア周波数ｆ＃０からｆ＃５のうち、他システムが使用している周波数Ｆ４２及び周波数Ｆ４３から最も離れた空き非隣接キャリア周波数ｆ＃２、ｆ＃３に、送信データ＃１、＃２が振り分けられると共に、他システムが使用している周波数Ｆ４２及び周波数Ｆ４３からキャリア周波数ｆ＃２、ｆ＃３の次に離れた空き非隣接キャリア周波数ｆ＃４に、送信データ＃３が振り分けられる。
【００７３】
また、ＯＦＤＭ信号では、非隣接キャリア周波数ｆ＃２、ｆ＃３、ｆ＃４に送信データ＃１、＃２、＃３が振り分けられることにより、空き周波数領域Ｆ４０において、空きキャリア周波数の数が全キャリア周波数の半数以下しかない。従って、ＯＦＤＭ信号では、他の空き周波数領域Ｆ４１の各キャリア周波数ｆ＃０からｆ＃３のうち、他システムが使用している周波数Ｆ４３及び周波数Ｆ４４から最も離れた空き非隣接キャリア周波数ｆ＃１、ｆ＃２に、送信データ＃４、＃５が振り分けられる。
【００７４】
次に、ＯＦＤＭ信号では、空き周波数領域Ｆ４０の空き非隣接キャリア周波数ｆ＃１に送信データ＃６が振り分けられる。
【００７５】
更に、ＯＦＤＭ信号では、空き非隣接キャリア周波数が無くなった場合、空き周波数領域Ｆ４０の送信データのデータ量と、空き周波数領域Ｆ４１の送信データのデータ量と、の差分を小さくするために、データ量の少ない空き周波数領域Ｆ４１の隣接キャリア周波数ｆ＃０にデータ＃７が振り分けられる。なお、空き周波数領域Ｆ４１の隣接キャリア周波数ｆ＃０は、他システムＦ４３に隣接しているため、データ＃７の送信電力を下げて送信するものとして、図９に示している。
【００７６】
このように、本実施の形態によれば、上記実施の形態１及び実施の形態２の効果に加えて、データ量の差分が小さくなるように送信データを振り分けることにより、何れかの空き周波数領域に干渉を生じた場合であっても、再送されるデータ量を抑制することができる。
【００７７】
（実施の形態５）
本発明の実施の形態５において、ＯＦＤＭ送信装置の構成は図１と同一構成であるので、その説明を省略する。
【００７８】
＜ＯＦＤＭ送信装置の動作＞
本発明の実施の形態５に係るＯＦＤＭ送信装置１００の動作につき、図１０を参照しながら、以下に詳細に説明する。
【００７９】
まず、キャリア配置部１０５は、入力された送信データのうち、割り当てていない送信データがあるか否かを判定する（Ｓ６０１）。
【００８０】
キャリア配置部１０５は、割り当てていない送信データが無い場合（Ｓ６０１：ＮＯ）、処理を終了する。
【００８１】
一方、キャリア配置部１０５は、割り当てていない送信データが有る場合（Ｓ６０１：ＹＥＳ）、空き周波数領域において、空き非隣接キャリア周波数が有り、且つ、空きキャリア周波数の数が、その空き周波数領域の全キャリア周波数の半数より多いか否かを判定する（Ｓ６０２）。
【００８２】
キャリア配置部１０５は、空き非隣接キャリア周波数が無いか、又は、空きキャリア周波数の数が全キャリア周波数の半数以下の場合（Ｓ６０２：ＮＯ）、他の空き周波数領域があるか否かを判定する（Ｓ６０３）。
【００８３】
キャリア配置部１０５は、他の空き周波数領域が無い場合（Ｓ６０３：ＮＯ）、空き非隣接キャリア周波数が有るか否かを判定する（Ｓ６０４）。
【００８４】
キャリア配置部１０５は、空き非隣接キャリア周波数が有り、且つ、空きキャリア周波数の数が全キャリア周波数の半数より多い場合（Ｓ６０２：ＹＥＳ）、他の空き周波数領域がある場合（Ｓ６０３：ＹＥＳ）、あるいは、空き非隣接キャリア周波数が有る場合（Ｓ６０４：ＹＥＳ）、空き非隣接キャリア周波数のうちで他システムの使用周波数から最も離れた空き非隣接キャリア周波数を選択する（Ｓ６０５）。その後、フローは、Ｓ６０１の処理に戻る。
【００８５】
キャリア配置部１０５は、空き非隣接キャリア周波数が無い場合（Ｓ６０４：ＮＯ）、複数の空き周波数領域を選択済みであるか否かを判定する（Ｓ６０６）。
【００８６】
キャリア配置部１０５は、複数の空き周波数領域を選択済みである場合（Ｓ６０６：ＹＥＳ）、使用周波数の帯域が最も狭い他システムを選択する（Ｓ６０７）。
【００８７】
次に、キャリア配置部１０５は、使用周波数の帯域が最も狭い他システムの使用周波数に隣接する隣接キャリア周波数を選択する（Ｓ６０８）。フローは、その後、Ｓ６０１の処理に戻る。
【００８８】
一方、キャリア配置部１０５は、複数の空き周波数領域を選択していない場合（Ｓ６０６：ＮＯ）、何れかの隣接キャリア周波数を選択する（Ｓ６０８）。その後、フローは、Ｓ６０１の処理に戻る。
【００８９】
かかるＯＦＤＭ信号では、図１１に示すように、空き周波数領域Ｆ５０の各キャリア周波数ｆ＃０からｆ＃５のうち、他システムが使用している周波数Ｆ５２及び周波数Ｆ５３から最も離れた空き非隣接キャリア周波数ｆ＃２、ｆ＃３に、送信データ＃１、＃２が振り分けられると共に、他システムが使用している周波数Ｆ５２及び周波数Ｆ５３からキャリア周波数ｆ＃２、ｆ＃３の次に離れた空き非隣接キャリア周波数ｆ＃４に、送信データ＃３が振り分けられる。
【００９０】
また、ＯＦＤＭ信号では、非隣接キャリア周波数ｆ＃２、ｆ＃３、ｆ＃４に送信データ＃１、＃２、＃３が振り分けられることにより、空き周波数領域Ｆ５０において、空きキャリア周波数の数が全キャリア周波数の半数以下しかない。従って、ＯＦＤＭ信号では、他の空き周波数領域Ｆ５１の各キャリア周波数ｆ＃０からｆ＃３のうち、他システムが使用している周波数Ｆ５３及び周波数Ｆ５４から最も離れた空き非隣接キャリア周波数ｆ＃１、ｆ＃２に、送信データ＃４、＃５が振り分けられる。
【００９１】
次に、ＯＦＤＭ信号では、空き周波数領域Ｆ５０のキャリア周波数ｆ＃１に送信データ＃６を振り分ける。
【００９２】
更に、ＯＦＤＭ信号では、空き非隣接キャリア周波数が無くなった場合、隣接キャリア周波数のうち、使用周波数の帯域が最も狭い他システムの使用周波数Ｆ５３に隣接する、空き周波数領域Ｆ５１の隣接キャリア周波数ｆ＃０に送信データ＃７が振り分けられる。次に、ＯＦＤＭ信号では、隣接キャリア周波数のうち、使用周波数の帯域が最も狭い他システムの使用周波数Ｆ５３に隣接する、空き周波数領域Ｆ５０の隣接キャリア周波数ｆ＃５に送信データ＃８が振り分けられる。なお、空き周波数領域Ｆ５１の隣接キャリア周波数ｆ＃０および空き周波数領域Ｆ５０の隣接キャリア周波数ｆ＃５は、他システムＦ５３に隣接しているため、データ＃７およびデータ＃８の送信電力を下げて送信するものとして、図１１に示している。
【００９３】
このように、本実施の形態によれば、上記実施の形態１及び実施の形態２の効果に加えて、使用周波数の帯域の最も狭い他システムの使用周波数に隣接するキャリア周波数に送信データを振り分けることにより、他システムからの被干渉を抑制することができる。
【００９４】
本発明は、部材の種類、配置、個数等は前述の実施の形態に限定されるものではなく、その構成要素を同等の作用効果を奏するものに適宜置換する等、発明の要旨を逸脱しない範囲で適宜変更可能であることはもちろんである。
【産業上の利用可能性】
【００９５】
本発明に係るＯＦＤＭ送信装置及びＯＦＤＭ送信方法は、他システムと共用する周波数帯域の一部のキャリア周波数を用いてＯＦＤＭ信号を送信するのに好適である。
【符号の説明】
【００９６】
１００  ＯＦＤＭ送信装置
１０１、１０９  アンテナ
１０２  受信部
１０３  レベル測定部
１０４  周波数選択部
１０５  キャリア配置部
１０６  変調部
１０７  フーリエ逆変換部
１０８  送信部
【図１】
0006475505.tif 000002
【図２】
0006475505.tif 000003
【図３】
0006475505.tif 000004
【図４】
0006475505.tif 000005
【図５】
0006475505.tif 000006
【図６】
0006475505.tif 000007
【図７】
0006475505.tif 000008
【図８】
0006475505.tif 000009
【図９】
0006475505.tif 000010
【図１０】
0006475505.tif 000011
【図１１】
0006475505.tif 000012